(57)【要約】【課題】利用者が手間を掛けることなく、ソーシャルブックマークすることが可能な電子広告を配信する電子広告配信システムを提供する。【解決手段】電子広告配信システム１０は、複数の電子広告を記憶する電子広告記憶部１１と、利用者が検索した検索キーワードを記憶する検索キーワード記憶部１２と、検索キーワードと電子広告とを比較するキーワード比較部１３と、検索キーワードと一致する電子広告を抽出する電子広告抽出部１４と、電子広告抽出部１４が抽出した電子広告を利用者に配信する電子広告配信部１５と、利用者が選択した電子広告をソーシャルブックマークとして登録するソーシャルブックマーク登録部１６と、ソーシャルブックマークとして登録された前記電子広告を他の利用者に配信するソーシャルブックマーク配信部１７とソーシャルブックマークとして登録された電子広告の一時ページを作成する一時ページ作成部１８を有する。【選択図】図２
2012215930.tif 000002
【特許請求の範囲】
【請求項１】
利用者に電子広告を配信する電子広告配信システムであって、
複数の電子広告を記憶する電子広告記憶部と、
利用者が検索した検索キーワードを記憶する検索キーワード記憶部と、
前記検索キーワードと前記電子広告とを比較するキーワード比較部と、
前記検索キーワードと一致する前記電子広告を抽出する電子広告抽出部と、
前記電子広告抽出部が抽出した前記電子広告を前記利用者に配信する電子広告配信部と、
前記利用者が選択した前記電子広告をソーシャルブックマークとして登録するソーシャルブックマーク登録部と、
前記ソーシャルブックマークとして登録された前記電子広告を他の利用者に配信するソーシャルブックマーク配信部と、
前記ソーシャルブックマークとして登録された前記電子広告の一時ページを作成する一時ページ作成部とを有する
ことを特徴とする電子広告配信システム。
【請求項２】
前記電子広告毎に設定された設定キーワードを記憶する設定キーワード記憶部を有し、
前記キーワード比較部が、前記検索キーワードと前記設定キーワードとを比較し、
前記電子広告抽出部が、前記検索キーワードと一致する前記設定キーワードが設定された前記電子広告を抽出する
ことを特徴とする請求項１記載の電子広告配信システム。
【請求項３】
前記利用者の配信された前記電子広告の一時ページに対するコメント情報を取得するコメント取得部と、前記コメント取得部が取得した前記コメント情報を記憶するコメント記憶部とを有し、
前記ソーシャルブックマーク登録部が、前記コメント記憶部に記憶した前記コメント情報と共にソーシャルブックマークとして登録する
ことを特徴とする請求項１または２記載の店舗検索システム。
【請求項４】
前記電子広告記憶部に一又は複数のＰＲ文と相互に関連づけて記憶された選択性電子広告に対して、
前記キーワード比較部が、前記一又は複数のＰＲ文と前記検索キーワードとが一致するか否かを比較することにより、前記一又は複数のＰＲ文から前記検索キーワードと一致する一のＰＲ文を選択し、
前記電子広告抽出部が前記キーワード比較部が選択した一のＰＲ文と相互に関連づけて記憶された前記選択性電子広告を抽出する
ことを特徴とする請求項１から３のいずれかに記載の電子広告配信システム。
【請求項５】
前記電子広告配信部が前記電子広告をメールに添付して配信する
こと特徴とする請求項１から４のいずれかに記載の電子広告配信システム。
【発明の詳細な説明】
【技術分野】
【０００１】
本発明は、ソーシャルブックマークすることが可能な電子広告配信システムに関する。
【背景技術】
【０００２】
インターネット上のリソースのＵＲＩ（Uniform Resource Identifier）を登録するブックマークは、利用者が利用する情報端末（携帯電話、スマートフォン、パソコン等）にインストールされたブラウザに管理されるものであるから、当該ブックマークを他の利用者と共有することはできなかった。しかし、近年、インターネット上に設けられたサーバに利用者がブックマークを登録することによって、サーバを利用する利用者間で、ブックマークを共有可能なソーシャルブックマークサービスが普及しつつある。
【０００３】
このソーシャルブックマークサービスに関わる発明として、ユーザがＷｅｂブラウザにて閲覧したＷｅｂページ等をブックマークすることより、管理データベースに記憶させると共に、他のユーザが登録したブックマークを所定の条件の下、管理データサービスから抽出し、抽出したブックマークを推薦ブックマークとしてユーザの所定のブラウザに提示する情報共有システムが、特許文献１に開示されている。
【先行技術文献】
【特許文献】
【０００４】
【特許文献１】特開２００７−７２５９６号公報
【発明の概要】
【発明が解決しようとする課題】
【０００５】
しかしながら、特許文献１記載の情報共有システムは、ユーザがブックマークを登録するには、膨大なＷｅｂページ中から識別してブックマークする必要があると共に、他のユーザが登録したブックマークは所定のブラウザと接続する手間がかかる。このような情報共有システムでは、利用開始時から時間が立つにつれて、利用者はそのような手間を嫌って、段々と利用しなくなる。
【０００６】
そこで、本発明は上記課題に鑑み提案するものであって、ソーシャルブックマークすることにより、他のソーシャルメディアを利用する他の利用者と共有可能な電子広告を配信する電子広告配信システムを提供する目的とする。
【課題を解決するための手段】
【０００７】
本発明の電子広告配信システムは、利用者に電子広告を配信する電子広告配信システムであって、複数の電子広告を記憶する電子広告記憶部と、利用者が検索した検索キーワードを記憶する検索キーワード記憶部と、前記検索キーワードと前記電子広告とを比較するキーワード比較部と、前記検索キーワードと一致する前記電子広告を抽出する電子広告抽出部と、前記電子広告抽出部が抽出した電子広告を前記利用者に配信する電子広告配信部と、前記利用者が選択した前記電子広告をソーシャルブックマークとして登録するソーシャルブックマーク登録部と、前記ソーシャルブックマークとして登録された前記電子広告を他の利用者に配信するソーシャルブックマーク配信部と、前記ソーシャルブックマークとして登録された前記電子広告の一時ページを作成する一時ページ作成部とを有することを特徴とする。
この構成により、利用者に配信された電子広告を利用者の手間をかけることなく、ソーシャルブックマークすることがにより、電子広告を配信された利用者以外、例えば他のソーシャルメディアを利用する利用者にも容易に伝播することが可能となる。
【０００８】
本発明の電子広告配信システムは、前記電子広告毎に設定された設定キーワードを記憶する設定キーワード記憶部を有し、前記キーワード比較部が、前記検索キーワードと前記設定キーワードとを比較し、前記電子広告抽出部が、前記検索キーワードと一致する前記設定キーワードが設定された前記電子広告を抽出することを特徴とする。
この構成により、利用者が検索したキーワードにより近い電子広告が配信されるため、電子広告の効果を高めることが可能となる。
【０００９】
本発明の電子広告配信システムは、前記利用者の配信された前記電子広告の一時ページに対するコメント情報を取得するコメント取得部と、前記コメント取得部が取得した前記コメント情報を記憶するコメント記憶部とを有し、前記ソーシャルブックマーク登録部が、前記コメント記憶部に記憶した前記コメント情報と共にソーシャルブックマークとして登録することを特徴とする。
この構成により、コメントが電子広告と共にソーシャルブックマークされることにより、配信された電子広告の信頼性を向上させることができる。
【００１０】
本発明の電子広告配信システムは、前記電子広告記憶部に一又は複数のＰＲ文と相互に関連づけて記憶された選択性電子広告に対して、前記キーワード比較部が、前記一又は複数のＰＲ文と前記検索キーワードとが一致するか否かを比較することにより、前記一又は複数のＰＲ文から前記検索キーワードと一致する一のＰＲ文を選択し、前記電子広告抽出部が前記キーワード比較部が選択した一のＰＲ文と相互に関連づけて記憶された前記選択性電子広告を抽出することを特徴とする。
この構成により、検索キーワードに沿った電子広告を利用者に配信することが可能となり、電子広告を閲覧した利用者の興味をより引くことができる。ここで、選択性電子広告は、一又は複数のＰＲ文と相互に関連づけられた電子広告であると規定する。
【００１１】
本発明の電子広告配信システムは、前記電子広告配信部が前記電子広告をメールに添付して配信すること特徴とする。
この構成により、利用者が利用する携帯電話機、スマートフォン、パソコン等の情報端末にメールで配信されるため、利用者が時間がないときであっても、配信された電子広告を容易に確認することができる。
【発明の効果】
【００１２】
本発明では、利用者に配信された電子広告を利用者の手間をかけることなく、ソーシャルブックマークすることができ、電子広告が配信された利用者以外にも当該電子広告を容易に伝播させることが可能となる。即ち、配信された電子広告を他の利用者と容易に共有することができ、電子広告の価値を向上させることできる。
【図面の簡単な説明】
【００１３】
【図１】本発明に係る第１実施形態の電子広告配信システムの全体図。
【図２】第１実施形態の電子広告配信システムのブロック図。
【図３】第１実施形態の電子広告配信システムの利用状態の一例を示す概念図。
【図４】第１実施形態の電子広告配信システムのメール配信の処理手順を示すフローチャート。
【図５】本発明に係る第２実施形態の電子広告配信システムのブロック図。
【図６】第２実施形態の設定キーワード一覧の一例を示す図。
【図７】第２実施形態の設定キーワードツリーの一例を示す図。
【図８】第２実施形態の電子広告配信システムのメール配信の処理手順を示すフローチャート。
【発明を実施するための形態】
【００１４】
〔第１実施形態の電子広告配信システム〕
本発明による第１実施形態の電子広告配信システムについて図面を参照して説明する。図１は第１実施形態の電子広告配信システムの全体図、図２は第１実施形態の電子広告配信システムのブロック図、図３は第１実施形態の電子広告配信システムの利用状態の一例を示す概念図である。
【００１５】
〈第１実施形態の電子広告配信システムの構成〉
第１実施形態の電子広告配信システム１０は、複数の電子広告を記憶する電子広告記憶部１１と、利用者が検索した検索キーワードを記憶する検索キーワード記憶部１２と、前記検索キーワードと前記電子広告とを比較するキーワード比較部１３と、前記検索キーワードと一致する前記電子広告を抽出する電子広告抽出部１４と、電子広告を前記利用者に配信する電子広告配信部１５と、前記利用者が選択した前記電子広告をソーシャルブックマークとして登録するソーシャルブックマーク登録部１６と、前記ソーシャルブックマークとして登録された前記電子広告を他の利用者に配信するソーシャルブックマーク配信部１７とソーシャルブックマークとして登録された電子広告の一時ページを作成する一時ページ作成部１８を有する。
【００１６】
また、電子広告システム１０は、図示しないが、各種プログラムの演算処理を実行するＣＰＵ等の演算処理部と各種処理に用いられるプログラムや各種データ等を記憶する記憶部を有する。演算処理部は、処理に応じてプログラムやモジュール等が読み出し、後述する店舗検索システム１０を構成する各部の機能を実現する。さらに、キーボード等の入力装置、ディスプレイ等の表示装置等他のハードウェアを備えていてもよい。なお、後述する各記憶部は、データベース、データファイル等様々なデータ保存形式で記憶されるとよく、データベース、データファイルのデータ保存形式に限定されず、いかなるデータの保存形式であってもよい。
【００１７】
電子広告記憶部１１は、例えば、レストラン、居酒屋等の飲食店に係る複数の電子広告を記憶する。電子広告は、店名、業態名、ＰＲ文、写真、その他テキスト等からなり、適宜追加、変更されるものである。また、電子広告には選択性電子広告が含まれ、選択性電子広告は場所、料理、具体的な商品名等を含んだ一又は複数のＰＲ文と相互に関連づけられた電子広告である。選択性電子広告は、一又は複数のＰＲ文と相互に関連づけられて電子広告記憶部１１に記憶される。
【００１８】
検索キーワード記憶部１２は、利用者が利用する携帯電話機、スマートフォン、パソコン等である情報端末３０の入力手段から登録された検索キーワードを取得し、記憶する。
【００１９】
キーワード比較部１３は、検索キーワード記憶部１２に記憶された検索キーワードと電子広告記憶部１１に記憶された電子広告の店名、業態名、ＰＲ文、その他テキスト等の文言と比較し、その比較結果を電子広告抽出部１４に出力する。例えば、検索キーワードが「焼肉」の場合、「焼肉」が電子広告のＰＲ文等中に含まれるか否かを比較する。また、選択性電子広告に対して、キーワード比較部１３は一又は複数のＰＲ文から検索キーワードが一致するか否かを比較し、一又は複数のＰＲ文から検索キーワードと一致する一のＰＲ文を選択する。なお、検索キーワードと一致するＰＲ文が複数ある場合、キーワード比較部１３は検索キーワードがより強調されたＰＲ文を選択するとよい。
【００２０】
電子広告抽出部１４は、キーワード比較部１３による比較結果より、検索キーワードが含まれた電子広告を抽出し、電子広告配信部１５に出力する。例えば、検索キーワードが「焼肉」の場合、「焼肉」が電子広告のＰＲ文等中に含まれる電子広告を抽出する。また、選択性電子広告に対して、電子広告抽出部１４はキーワード比較部１３が選択した一のＰＲ文と相互に関連づけられた選択性電子広告を抽出する構成とするとよい。
【００２１】
電子広告配信部１５は、電子広告抽出部１４から出力された電子広告を検索キーワードを登録した利用者の情報端末３０に配信する。また、電子広告配信部１５は電子広告と共に後述するコメント記憶部１９に記憶されたコメント情報を利用者の情報端末３０に配信する。さらに、電子広告配信部１５はメールに電子広告を添付して配信することができ、所定のブラウザを開くことなく、配信された電子広告を確認することができる。
【００２２】
ソーシャルブックマーク登録部１６は、利用者の情報端末３０に配信された図３に示すように電子広告中のソーシャルブックマーク欄をクリックすると、ソーシャルブックマーク登録情報がネットワークＮを介してソーシャルブックマーク登録部１６に送信されることにより、当該電子広告をソーシャルブックマークする。
【００２３】
ソーシャルブックマーク配信部１７は、ソーシャルブックマークとして登録された電子広告のソーシャルブックマーク登録情報を他の利用者の情報端末４０に向けて配信する。ソーシャルブックマーク登録情報は、メールに限られず様々な情報伝達手段でよい。
【００２４】
一時ページ作成部１８は、ソーシャルブックマーク登録情報が配信された電子広告の一時ページを動的に作成する。一時ページ作成部１８が作成した図３に示す電子広告の一時ページは、様々なソーシャルメディアを利用する他の利用者が当該電子広告の一時ページにリンクすることにより、閲覧可能となる。
【００２５】
また、電子広告配信システム１０は、前記利用者の配信された前記電子広告の一時ページに対するコメント情報を取得するコメント取得部１９１と、コメント取得部１９１が取得したコメント情報を記憶するコメント記憶部１９２とを有する構成としてもよい。
【００２６】
コメント取得部１９１は、配信された電子広告の一時ページに対する利用者のコメント情報を取得する。コメント情報は、利用者の情報端末３０から登録されたコメントであると共に、ソーシャルブックマーク登録された電子広告の一時ページを閲覧した他の利用者の情報端末４０から登録されたコメントも含まれる。また、コメント記憶部１９２は、上述したコメント情報を記憶する。
【００２７】
さらに、電子広告配信システム１０は、利用者毎に識別番号を自動的に付与する利用者識別部と、前記利用者に付与された識別番号を記憶する利用者記憶部とを有する構成としてもよい。具体的には、図示しない利用者識別部は、検索キーワードを登録した利用者毎に利用者を特定するための識別番号を自動的に付与する。また、図示しない利用者記憶部は、利用者毎に付与された識別番号を記憶する。
【００２８】
〈第１実施形態の電子広告配信システムの処理手順〉
次に、電子広告配信システム１０による電子広告配信の処理手順を、図４に示すフローチャートにより説明する。
【００２９】
ステップＳ１０１において、利用者が情報端末３０より検索キーワードを登録すると、検索キーワード記憶部１２が検索キーワードを記憶する。第１実施形態では、検索キーワードは「焼肉」とする。
【００３０】
ステップＳ１０２において、キーワード比較部１３が、ステップＳ１０１により記憶された検索キーワードと電子広告記憶部１１に記憶された電子広告の店名、ＰＲ文等を比較その比較結果を電子広告抽出部１４に出力する。第１実施形態では、検索キーワードである「焼肉」が電子広告のＰＲ文等中に含まれるか否かを比較し、検索キーワードである「焼肉」が電子広告のＰＲ文等中に含まれる場合、ステップＳ１０３に進む。また、選択性電子広告の場合、キーワード比較部１３は設定された一又は複数のＰＲ文から検索キーワードが一致するか否かを比較し、一又は複数のＰＲ文から検索キーワードと一致する一のＰＲ文を選択する。なお、検索キーワードと一致するＰＲ文が複数ある場合、キーワード比較部１３は検索キーワードがより強調されたＰＲ文を選択する。
【００３１】
ステップＳ１０３において、電子広告抽出部１４が、ステップＳ１０３より比較され、検索キーワードがＰＲ文等に含まれる電子広告を抽出し、電子広告配信部１５に出力する。第１実施形態では、検索キーワードである「焼肉」が電子広告のＰＲ文等中に含まれる電子広告を抽出する。また、選択性電子広告の場合、電子広告抽出部１４はキーワード比較部１３が選択した一のＰＲ文と相互に関連づけられた選択性電子広告を抽出する。
【００３２】
ステップＳ１０４において、電子広告配信部１５が、利用者の情報端末３０にステップＳ１０３により抽出した電子広告をメールに添付して配信する。また、配信される電子広告は、コメント記憶部１９に記憶されたコメント情報を含むものでもよい。
【００３３】
ステップＳ１０５において、利用者の情報端末３０に配信された図３に示すように電子広告中のソーシャルブックマーク欄をクリックする際、ソーシャルブックマーク登録情報がネットワークＮを介してソーシャルブックマーク登録部１６に送信されることにより、ソーシャルブックマーク登録部１６が当該電子広告をソーシャルブックマークする。
【００３４】
ステップＳ１０６において、ソーシャルブックマーク配信部１７が、ソーシャルブックマークとして登録された電子広告のソーシャルブックマーク登録情報をネットワークＮを介して他の利用者の情報端末４０に向けて配信される。
【００３５】
ステップＳ１０７において、一時ページ作成部１８が、ソーシャルブックマーク登録情報が配信された電子広告の一時ページを動的に作成し、図３に示す電子広告の一時ページは、様々なソーシャルメディアを利用する他の利用者がその一時ページリンクすることにより、閲覧可能となる。
【００３６】
〈第１実施形態の電子広告配信システムの効果〉
第１実施形態の電子広告配信システム１０は、利用者に配信された電子広告をソーシャルブックマークすることによって、電子広告が配信された利用者以外にも当該電子広告を容易に伝播させることにより、配信された電子広告を他の利用者と容易に共有することができ、電子広告の効果を向上させることできる。
【００３７】
第１実施形態の電子広告配信システム１０は、電子広告毎に一又は複数のＰＲ文を関連づけて記憶しておくことにより、利用者が登録した検索キーワードに沿ったＰＲ文が設定された電子広告が配信されることにより、利用者の興味を引くことが可能となる。
【００３８】
第１実施形態の電子広告配信システム１０は、利用者のコメントと共にソーシャルブックマークされることにより、電子広告の信頼性や利用価値を高めることができる。
【００３９】
〔第２実施形態の電子広告配信システム〕
本発明による第２実施形態の電子広告配信システム２０について図面を参照して説明する。図５は第２実施形態の電子広告配信システム２０のブロック図、図６は第２実施形態の設定キーワード一覧の一例を示す図、図７は第２実施形態の設定キーワードツリーの一例を示す図である。
【００４０】
〈第２実施形態の電子広告配信システムの構成〉
第２実施形態の電子広告配信システム２０は、第１実施形態の電子広告配信システム１０を構成する各部に加え、前記電子広告に設定された設定キーワードを記憶する設定キーワード記憶部２１を有する。ここで、第１実施形態の電子広告配信システム１０と同じ構成については、同じ符号を付与し、詳細な説明は省略する。
【００４１】
設定キーワード記憶部２１は、電子広告毎に設定された設定キーワードを記憶する。設定キーワードは、図６に示すようにチゲ鍋、ステーキ等といった料理名、個室、夜景がきれいなお店等といった店舗、具体的な商品名である。また、設定キーワードは、所定の条件、例えば図７に示すキーワードツリーに従って設定される。具体的には、所定の条件を満たすと電子広告毎に場所「新宿」、料理「焼肉」、店舗スタイル「個室」といった設定キーワードを設定することができる。さらに追加条件を満たすことにより、具体的な商品「○△コールド」といった設定キーワードを設定することができる。
【００４２】
キーワード比較部２２が、検索キーワードと設定キーワードとを比較し、その比較結果を電子広告抽出部２３に出力する。例えば、利用者の検索キーワードが「焼肉」である場合、電子広告の設定キーワードが「焼肉」であるか否かを比較する。
【００４３】
電子広告抽出部２３が、前記検索キーワードと一致する前記設定キーワードが設定された前記電子広告を抽出する。
【００４４】
〈第２実施形態の電子広告配信システムの処理手順〉
次に、第２実施形態の電子広告配信システム２０による電子広告配信の処理手順を、図７に示すフローチャートにより説明する。なお、ステップＳ２０４〜Ｓ２０７は、第１実施形態の電子広告配信システム１０による電子広告配信の処理手順のステップＳ１０４〜Ｓ１０７と同じ処理手順であるため、詳細な説明は省略する。
【００４５】
ステップＳ２０１において、利用者が情報端末３０より検索キーワードを登録すると、検索キーワード記憶部１２が、検索キーワード情報を記憶する。第２実施形態では、検索キーワードは「焼肉」とする。
【００４６】
ステップＳ２０２において、キーワード比較部２２が、ステップＳ１０１により記憶された検索キーワードと設定キーワード記憶部２１に記憶された設定キーワードと比較する。第２実施形態では、検索キーワードである「焼肉」と設定キーワードが一致するか否かを比較する。
【００４７】
ステップＳ２０３において、電子広告抽出部２３が、検索キーワードと一致する設定キーワードが設定された電子広告を電子広告記憶部１１から抽出し、電子広告配信部１５に出力する。
【００４８】
〈第２実施形態の電子広告配信システムの効果〉
第２実施形態の電子広告配信システム２０は、利用者が登録した検索キーワードと電子広告に設定された設定キーワードが一致する電子広告が利用者に配信されるため、利用者に配信される電子広告が絞り込まれることになり、電子広告の価値を高めることが可能となる。
【００４９】
第２実施形態の電子広告配信システム２０は、所定の条件を満たすことにより、電子広告に設定キーワードを設定できる種類、数を増やすことができるため、利用者が希望する条件により近い電子広告を配信することができ、電子広告の価値をさらに高めることができる。
【００５０】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００５１】
本発明の電子広告配信システムは、第１、第２実施形態の構成に限られるものではなく、利用者が電子広告を受信することや電子広告をソーシャルブックマークすることによりポイントを付与するポイント付与部と、利用者毎に付与されたポイントを累積するポイント累積部とを設けることにしてもよい。利用者がより本発明に係る電子広告配信システムを利用するきっかけとすることも可能である。
【００５２】
本発明の電子広告配信システムは、レストラン、居酒屋等の飲食店に係る電子広告について説明したが、美容院、雑貨店等の様々な他の業種に係る店舗の電子広告であってもよい。
【産業上の利用可能性】
【００５３】
本発明は、電子広告をソーシャルブックマークし、他のソーシャルメディアを利用する他の利用者に伝播する電子広告配信システムに利用することができる。
【符号の説明】
【００５４】
１０、２０…電子広告配信システム          １１…電子広告記憶部
１２…検索キーワード記憶部                １３、２２…キーワード比較部
１４、２３…電子広告抽出部                １５…電子広告配信部
１６…ソーシャルブックマーク登録部        １７…ソーシャルブックマーク配信部
１８…一時ページ作成部                    ２１…設定キーワード記憶部
３０、４０…情報端末                      １９１…コメント取得部
１９２…コメント記憶部                    Ｎ…ネットワーク
【図１】
2012215930.tif 000003
【図２】
2012215930.tif 000004
【図３】
2012215930.tif 000005
【図４】
2012215930.tif 000006
【図５】
2012215930.tif 000007
【図６】
2012215930.tif 000008
【図７】
2012215930.tif 000009
【図８】
2012215930.tif 000010